(57)【要約】【課題】Ｗｅｂサイトの更新作業に要する時間の短縮と、Ｗｅｂサイトの誤更新の軽減。【解決手段】Ｗｅｂサイトの更新に関する一連の手順を一元的に実施できるよう、Ｗｅｂサイト更新補助システムを提供する。Ｗｅｂサイト制作者１０は、Ｗｅｂブラウザ１２０で動作するＷｅｂサイト更新補助アプリケーション２４０を用いて、以下の手順でＷｅｂサイト３１０を更新する。まず、新しいファイル１１１をＷｅｂサイト更新補助サーバ２００にアップロードする。次に、アップロードした新しいファイル２１１について、対応する既存ファイル２２１との差分、ハイパーリンクの有効性、日本語の妥当性を検証する。検証の結果、新しいファイル２１１に誤りがないと判断された場合、それを本番Ｗｅｂサーバ３００にアップロードする。尚、更新後に誤更新が発見された場合は、バックアップファイル２３１によってＷｅｂサイト３１０を復元する。【選択図】図１
2016095814.tif 000002
【特許請求の範囲】
【請求項１】
Ｗｅｂサイトを構成するファイルを格納するＷｅｂサイト更新補助サーバと、
Ｗｅｂサイトの検証、更新、復元を行うＷｅｂサイト更新補助アプリケーションと、
を備えることを特徴とするＷｅｂサイト更新補助システム。
【請求項２】
請求項１に記載のＷｅｂサイト更新補助システムにおいて、
新しいファイルを格納するテスト領域と、
既存ファイル、すなわち本番Ｗｅｂサーバと同一のファイルを格納する仮想本番領域と、
バックアップファイルを格納するバックアップ領域と、
を備えることを特徴とするＷｅｂサイト更新補助システム。
【請求項３】
請求項１に記載のＷｅｂサイト更新補助システムにおいて、
前記仮想本番領域に本番Ｗｅｂサーバのファイルをダウンロードする手段、
を備えることを特徴とするＷｅｂサイト更新補助システム。
【請求項４】
請求項１に記載のＷｅｂサイト更新補助システムにおいて、
前記テスト領域に新しいファイルをアップロードする手段、
を備えることを特徴とするＷｅｂサイト更新補助システム。
【請求項５】
請求項１に記載のＷｅｂサイト更新補助システムにおいて、
前記テスト領域にある新しいファイルについて、対応する前記仮想本番領域の既存ファイルとの差分の検証、ハイパーリンクの有効性の検証、日本語の妥当性の検証をする、Ｗｅｂサイト検証手段、
を備えることを特徴とするＷｅｂサイト更新補助システム。
【請求項６】
請求項１に記載のＷｅｂサイト更新補助システムにおいて、
前記テスト領域にある新しいファイルについて、対応する本番Ｗｅｂサーバの既存ファイルを、前記バックアップ領域にダウンロードし、次に、新しいファイルを本番Ｗｅｂサーバにアップロードする、Ｗｅｂサイト更新手段、
を備えることを特徴とするＷｅｂサイト更新補助システム。
【請求項７】
請求項１に記載のＷｅｂサイト更新補助システムにおいて、
誤更新が発見されたファイルに対応する前記バックアップ領域のバックアップファイルを、本番Ｗｅｂサーバにアップロードする、Ｗｅｂサイト復元手段、
を備えることを特徴とするＷｅｂサイト更新補助システム。
【請求項８】
請求項１に記載のＷｅｂサイト更新補助システムにおいて、
Ｗｅｂサイトの制作者が、随時、本番Ｗｅｂサーバへのアップロードの履歴を確認する手段、
を備えることを特徴とするＷｅｂサイト更新補助システム。
【発明の詳細な説明】
【技術分野】
【０００１】  この発明は、Ｗｅｂサイトの更新を補助することを目的としたシステムに関する。
【背景技術】
【０００２】  近年、コンピュータやコンピュータネットワークに関する技術の進歩や普及に伴い、多くの企業などでＷｅｂサイトを設けて情報を公開することが一般的となっている。【０００３】  また、多くのＷｅｂサイトは一般向けに広く情報を公開しているため、適切な見え方で、正しい情報が公開されているべきである。【０００４】  したがって、Ｗｅｂサイトの制作者がＷｅｂサイトの更新を行う時、文言変更や画像の差し替えなど軽微な変更内容であっても、更新前に検証を行うことが必要となっている。
【先行技術文献】
【特許文献】
【特許文献１】特開２００６−１４６５０６号公報
【特許文献２】特開２０１０−０６７０４０号公報
【発明の概要】
【発明が解決しようとする課題】
【０００５】  しかし、Ｗｅｂサイトの更新に関する一連の手順は非常に煩雑である。それ故、更新作業に過分な時間を要し、人為的過誤による誤更新が発生しやすい状況となっている。
そこでこの発明は、更新作業に要する時間の短縮と、誤更新の軽減を課題とする。
【課題を解決するための手段】
【０００６】  この発明は、Ｗｅｂサイトの更新に関する一連の手順を一元的に実施できるようにすることで上述した課題を解決する、Ｗｅｂサイトを構成するファイルを格納するＷｅｂサイト更新補助サーバと、Ｗｅｂサイトの検証、更新、復元を行うＷｅｂサイト更新補助アプリケーションと、を備えることを特徴とするＷｅｂサイト更新補助システムである。
【発明の効果】
【０００７】  この発明によれば、Ｗｅｂサイトの更新に関する一連の手順が簡略化されることにより、更新作業に要する時間が短縮され、誤更新が軽減する。
【図面の簡単な説明】
【０００８】
【図１】この発明の一実施形態を示す概略図である。
【発明を実施するための形態】
【０００９】  この発明の一実施形態を、図１に示す。
【００１０】  Ｗｅｂサイト制作者１０は、Ｗｅｂサイト制作者の端末１００のＷｅｂブラウザ１２０で動作するＷｅｂサイト更新補助アプリケーション２４０を用いて、予め本番Ｗｅｂサーバ３００へのＦＴＰ接続情報２５１をデータベースに記録しておく。
【００１１】  また、Ｗｅｂサイト制作者１０は、Ｗｅｂサイト更新補助アプリケーション２４０を用いて、予め本番Ｗｅｂサーバ３００にある既存ファイル３１１を、Ｗｅｂサイト更新補助サーバ２００の仮想本番領域２２０にダウンロードしておく。尚、Ｗｅｂサイト更新補助アプリケーション２４０から本番Ｗｅｂサーバ３００へのＦＴＰ接続には、データベースに記録したＦＴＰ接続情報２５１を使用する。
【００１２】  Ｗｅｂサイト制作者１０がＷｅｂサイト３１０の更新を行う場合、第１に、Ｗｅｂサイト更新補助アプリケーション２４０を用いて、Ｗｅｂサイト制作者の端末１００にある新しいファイル１１１を、Ｗｅｂサイト更新補助サーバ２００のテスト領域２１０にアップロードする。
【００１３】  第２に、Ｗｅｂサイト更新補助アプリケーション２４０を用いて、テスト領域２１０にある新しいファイル２１１についての検証を行う。
具体的には、新しいファイル２１１に対応する仮想本番領域２２０の既存ファイル２２１との差分の検証、ハイパーリンクの有効性の検証、日本語の妥当性の検証である。
【００１４】  第３に、検証の結果、テスト領域２１０にある新しいファイル２１１に誤りがないと判断された場合、Ｗｅｂサイト更新補助アプリケーション２４０を用いて、Ｗｅｂサイト３１０を更新する。
具体的には、まず、新しいファイル２１１に対応する本番Ｗｅｂサーバ３００の既存ファイル３１１を、Ｗｅｂサイト更新補助サーバ２００のバックアップ領域２３０にダウンロードし、次に、新しいファイル２１１を本番Ｗｅｂサーバ３００にアップロードすることである。また、この時のアップロードの履歴、すなわちＷｅｂサイト更新履歴２５２をデータベースに記録する。
【００１５】  Ｗｅｂサイト３１０の更新後に誤更新が発見された場合、Ｗｅｂサイト更新補助アプリケーション２４０を用いて、Ｗｅｂサイト３１０を復元する。
具体的には、誤更新が発見されたファイルに対応するバックアップ領域２３０のバックアップファイル２３１を、本番Ｗｅｂサーバ３００にアップロードすることである。また、この時のアップロードの履歴、すなわちＷｅｂサイト更新履歴２５２をデータベースに記録する。
【００１６】  Ｗｅｂサイトの制作者は、随時、Ｗｅｂサイト更新補助アプリケーション２４０を用いて、本番Ｗｅｂサーバ３００へのアップロードの履歴、すなわちＷｅｂサイト更新履歴２５２を確認することができる。
【符号の説明】
【００１７】１０    Ｗｅｂサイト制作者
１００  Ｗｅｂサイト制作者の端末
１１１  新しいファイル（Ｗｅｂサイト制作者の端末）
１２０  Ｗｅｂブラウザ
２００  Ｗｅｂサイト更新補助サーバ
２１０  テスト領域
２１１  新しいファイル（Ｗｅｂサイト更新補助サーバ）
２２０  仮想本番領域
２２１  既存ファイル（Ｗｅｂサイト更新補助サーバ）
２３０  バックアップ領域
２３１  バックアップファイル
２４０  Ｗｅｂサイト更新補助アプリケーション
２５１  ＦＴＰ接続情報
２５２  Ｗｅｂサイト更新履歴
３００  本番Ｗｅｂサーバ
３１０  Ｗｅｂサイト
３１１  既存ファイル（本番Ｗｅｂサーバ）
【図１】
2016095814.tif 000003